(57)【要約】【課題】液晶表示パネルのリペア方法及びリペア装置を提供する。【解決手段】まず、液晶表示パネルに存在する輝点セルを検出する（Ｓ１）。次に、第１レーザーを用いて輝点セルのカラーフィルターにギャップを形成する（Ｓ２）。そして、第２レーザーを用いて、ギャップが形成されたカラーフィルターの光透過性を低下させる（Ｓ３）。【選択図】図４
2008165164.tif 000002
【特許請求の範囲】
【請求項１】
液晶層とカラーフィルター層とカラーフィルターガラスとを有する液晶表示パネルのリペア方法であって、
不良ピクセルのカラーフィルターに対して第１レーザーを照射して、前記カラーフィルターにおけるカラーフィルターガラスに隣接する部分にギャップを形成するステップと、
前記ギャップに対して第２レーザーを照射して、当該ギャップが形成された前記カラーフィルターの物性を光透過性が低下するように変化させるステップと
を含むことを特徴とする方法。
【請求項２】
請求項１に記載の液晶表示パネルのリペア方法であって、
前記第１レーザーは、ナノ秒パルスレーザーであることを特徴とする方法。
【請求項３】
請求項１に記載の液晶表示パネルのリペア方法であって、
前記第１レーザーは、約３５５ｎｍの波長のパルスレーザーであることを特徴とする方法。
【請求項４】
請求項１に記載の液晶表示パネルのリペア方法であって、
前記第１レーザーは、約５３２ｎｍの波長のパルスレーザーであることを特徴とする方法。
【請求項５】
請求項１乃至請求項４のいずれかに記載の液晶表示パネルのリペア方法であって、
前記第１レーザーは、基本波が約１０６４ｎｍのパルスレーザーの高調波を使用することを特徴とする方法。
【請求項６】
請求項１に記載の液晶表示パネルのリペア方法であって、
前記ギャップを形成するステップは、前記カラーフィルターにおけるカラーフィルターガラスに隣接する部分に、サイズが約０．４〜０．８μｍのギャップを形成することを特徴とする方法。
【請求項７】
請求項１に記載の液晶表示パネルのリペア方法であって、
前記第２レーザーは、約４００〜４９０ｎｍの波長のレーザーであることを特徴とする方法。
【請求項８】
請求項１に記載の液晶表示パネルのリペア方法であって、
前記第２レーザーは、約４０８ｎｍの波長の連続レーザーであることを特徴とする方法。
【請求項９】
請求項１に記載の液晶表示パネルのリペア方法であって、
前記第２レーザーは、約４４６ｎｍの波長の連続レーザーであることを特徴とする方法。
【請求項１０】
請求項１に記載の液晶表示パネルのリペア方法であって、
前記第２レーザーは、約４５０ｎｍの波長のフェムト秒パルスレーザーであることを特徴とする方法。
【請求項１１】
液晶層とカラーフィルター層とカラーフィルターガラスとを有する液晶表示パネルのリペア装置であって、
不良ピクセルのカラーフィルターにおけるカラーフィルターガラスに隣接する部分にギャップを形成するための第１レーザーを発生する第１レーザー発生器と、
前記ギャップが形成されたカラーフィルターの物性を光透過性が低下するように変化させるための第２レーザーを発生する第２レーザー発生器と
を備えることを特徴とする液晶表示パネルのリペア装置。
【請求項１２】
請求項１１に記載の液晶表示パネルのリペア装置であって、
前記第１レーザー発生器は、ナノ秒パルスレーザーを発生するパルスレーザー発生器であることを特徴とする装置。
【請求項１３】
請求項１１に記載の液晶表示パネルのリペア装置であって、
前記第１レーザー発生器は、約３５５ｎｍの波長のパルスレーザーを発生するパルスレーザー発生器であることを特徴とする装置。
【請求項１４】
請求項１１に記載の液晶表示パネルのリペア装置であって、
前記第１レーザー発生器は、約５３２ｎｍの波長のパルスレーザーを発生するパルスレーザー発生器であることを特徴とする装置。
【請求項１５】
請求項１１に記載の液晶表示パネルのリペア装置であって、
前記第２レーザー発生器は、約４００〜４９０ｎｍの波長のレーザーを発生するレーザー発生器であることを特徴とする装置。
【請求項１６】
請求項１１に記載の液晶表示パネルのリペア装置であって、
前記第２レーザー発生器は、約４５０ｎｍの波長のフェムト秒パルスレーザーを発生するパルスレーザー発生器であることを特徴とする装置。
【請求項１７】
請求項１１に記載の液晶表示パネルのリペア装置であって、
前記第２レーザー発生器は、約４０８ｎｍの波長の連続レーザーを発生するフォトダイオードレーザー発生器であることを特徴とする装置。
【請求項１８】
請求項１１に記載の液晶表示パネルのリペア装置であって、
前記第２レーザー発生器は、約４４６ｎｍの波長の連続レーザーを発生するフォトダイオードレーザー発生器であることを特徴とする装置。
【発明の詳細な説明】
【技術分野】
【０００１】
本発明は液晶表示パネルをリペアする技術に関するものであり、より詳しくは、液晶表示パネルの不良ピクセルを除去する方法及びそのための装置に関するものである。
【背景技術】
【０００２】
液晶表示装置は、ビデオ信号によって液晶の光透過率を調節して画像を表示する。そのため、液晶表示装置は、マトリックス状に配列されたセルを含む液晶表示パネルと、ビデオ信号によって各セルの光透過率を制御する駆動回路とを備えている。
【０００３】
図１は、従来の液晶表示パネルのセル構造を簡単に示す図面である。液晶表示パネルのセルは、薄膜トランジスター（thin film transistor：ＴＦＴ）ガラス１１とカラーフィルター（color filter：ＣＦ）ガラス１９との間に、制御電圧によって偏光する液晶層１５と、フルカラーを実現するためのＲ、Ｇ、Ｂカラーフィルター１７と、光透過率を調節するために液晶層１５の偏光程度を制御する半導体回路層１２とを含んでいる。液晶表示パネルのセルは、その他にも、ピクセル電極１３、背向膜１４、共通電極１６、及びブラックマトリックス１８などを含んでいる。
【０００４】
セルの明るさが調節される原理は次の通りである。バックライト（図示せず）から提供された光は液晶層１５を通過することによって偏光され、偏光された光はＴＦＴガラス１１及びＣＦガラス１９の外部に配置される偏光板（図示せず）を通過して人間の目に入る。このとき、偏光された光の方向が偏光板の偏光方向と垂直に近いほど、偏光された光は偏光板をよく通過できず、偏光された光の方向が水平に近いほど、偏光された光は偏光板をよく通過できる。したがって、両ガラス１１，１９の間に印加される電圧を制御して液晶層の偏光の程度を調節することによって、セルの明るさを調節することができる。
【０００５】
一方、特定波長の光をよく透過させ、その他の波長の光を遮断する特性を有するカラーフィルターを用いることにより、カラー液晶表示パネルは実現される。つまり、Ｒフィルターは、赤色光をよく透過させるが、その他の波長の光は透過させない。Ｇフィルターは、緑色光をよく透過させるが、その他の波長の光は透過させない。Ｂフィルターは、青色光をよく透過させるが、その他の波長の光は透過させない。
【０００６】
液晶表示パネルの製造者が液晶表示パネルの不良の有無を判断する基準は、液晶表示パネルに含まれる不良セルの数である。不良セルは輝点セルと暗点セルとに分けることができるが、通常、許容される輝点セルの数は、暗点セルの数よりも厳しい。このような理由により、輝点セルを暗点化することにより、液晶表示パネルの歩留りを向上させることができる。例えば、輝点セルは全く許容されないが暗点セルは１個だけ許容される場合は、１つの輝点セルを有する液晶表示パネルにおいて輝点セルを暗点化させて暗点セルにすると、前記液晶表示パネルは正常パネルとなる。
【０００７】
特許文献１には、輝点セルを暗点化させて液晶表示パネルをリペアする技術が開示されている。このリペア技術は、異質物による輝点セルを暗点化させるためにブラックマトリックスにレーザーを照射してブラックマトリックスを溶かし、溶けたブラックマトリックスの物質を異質物の方に誘導して輝点セルを暗点化させている。
【０００８】
【特許文献１】韓国特許出願公開第２００６−００６７０４２号明細書
【発明の開示】
【発明が解決しようとする課題】
【０００９】
しかし、特許文献１に開示されている従来技術には、ブラックマトリックスを溶かした際、溶けたブラックマトリックスの物質が不良セルと隣接する正常セルへ移動して、正常セルも暗点化されるという問題があった。
【００１０】
そこで、隣接セルへの影響を最小化するために、ブラックマトリックスを溶かす代りに、光が透過するセルの領域（カラーフィルター領域）に対してレーザーを直接的に照射することによって、不良ピクセルを暗点化させる方法が考えられるが、その場合は次のような問題点が生じる。
【００１１】
図２を参照して詳しく説明すると、一般的に、レーザーの強度はレーザー照射時におけるレーザーの透過深さが増大するほど急激に減少するが、ある程度のレーザーエネルギーは比較的深い層まで伝達される。したがって、図２に示すように、レーザー２１の焦点がカラーフィルター１７に合っていたとしても、エネルギーの一部は液晶層１５にまで伝達される。そのため、液晶層に伝達されたエネルギーによって、液晶層１５でガスが発生するおそれがあり、そのガスが原因となって液晶層内でバブル２２が生成される。
【００１２】
たとえ、レーザーエネルギーが液晶層にまで伝達されなかったとしても、レーザーの照射過程においてカラーフィルターで発生したガスなどが液晶層に侵入することによって、バブルが生成される可能性もある。
【００１３】
液晶層で生じるバブルは、リペアしようとするピクセル以外の隣接ピクセルにも致命的な影響を与える。さらに、液晶層で生じるバブルによって液晶表示パネルの全体が駄目になる場合もあるので、バブル現象はできるだけ避けなければならない。このようなバブル現象を防止するためには、レーザーの浸透深さを減少させるべきであり、そのためには使用するレーザーの波長を短くしなければならない。レーザーの波長を短くすることは、カラーフィルターの光透過率の点からも好ましい。
【００１４】
図３は、各カラーフィルターの光透過率を示すグラフである。図３に示すように、各カラーフィルターは特定波長付近の光に対しては光透過率が高いが、他の波長の光に対しては光透過性が低い。例えば、Ｂフィルター３３は４６０ｎｍ付近の波長に対して光透過率が高く、Ｇフィルター３２は５２０ｎｍ付近の波長に対して光透過率が高く、Ｒフィルター３１は６４０ｎｍ以上の波長に対して光透過率が高い。
【００１５】
したがって、レーザーを用いてカラーフィルターの物性を変化させる場合は、エネルギー伝達効率を高めるために、光透過率が低い波長のレーザーを用いることが好ましい。図３の例では、１つのレーザーを用いてＲ、Ｇ、Ｂフィルターの物性を変化させるためには、約４１０ｎｍ以下の波長のレーザーを用いることが好ましい。
【００１６】
しかし、カラーフィルターの物性を変化させるのに、短い波長のレーザーを用い続けると、液晶表示パネルの他の構成要素（例えば、偏光板）にダメージを与えるおそれがある。したがって、短い波長のレーザーを用い続けることは好ましくない。
【００１７】
本発明はかかる問題点を解決するためになされたものであり、その目的とするところは、隣接セルへの影響を最小化することができる、液晶表示パネルの不良セルのリペア方法及び装置を提供することにある。
【課題を解決するための手段】
【００１８】
本発明者は、カラーフィルターに対してレーザーを直接的に照射して液晶表示パネルをリペアする方法において、カラーフィルターの光吸率、及び液晶層のバブル現象に関してレーザーが最も重要である点に注目して研究を進めた結果、異なるレーザーで２つの段階に渡って不良セルに含まれるカラーフィルターに対してレーザーを照射することにより不良セルが効果的にリペアできることを見いだし、本発明を完成するに至った。
【００１９】
本発明の一実施形態に係る液晶表示パネルのリペア方法は、液晶層とカラーフィルター層とカラーフィルターガラスとを有する液晶表示パネルのリペア方法であって、不良ピクセルのカラーフィルターに対して第１レーザーを照射して、前記カラーフィルターにおけるカラーフィルターガラスに隣接する部分にギャップを形成するステップと、前記ギャップに対して第２レーザーを照射して、当該ギャップが形成された前記カラーフィルターの物性を光透過性が低下するように変化させるステップとを含んでいる
【００２０】
前記第１レーザーは、ナノ秒パルスレーザーであることが好ましい。
【００２１】
或いは、前記第１レーザーは、波長が約３５５ｎｍのパルスレーザーであることが好ましい。
【００２２】
或いは、前記第１レーザーは、波長が約５３２ｎｍのパルスレーザーであることが好ましい。
【００２３】
或いは、前記第１レーザーは、基本波が約１０６４ｎｍのパルスレーザーの高調波を使用することが好ましい。
【００２４】
或いは、前記ギャップを形成するステップは、前記カラーフィルターにおける前記カラーフィルターガラスに隣接する部分に、サイズが約０．４〜０．８μｍのギャップを形成することが好ましい。
【００２５】
前記第２レーザーは、波長が約４００〜４９０ｎｍのレーザーであることが好ましい。
【００２６】
或いは、前記第２レーザーは、波長が約４０８ｎｍの連続レーザーであることが好ましい。
【００２７】
或いは、前記第２レーザーは、波長が約４４６ｎｍの連続レーザーであることが好ましい。
【００２８】
或いは、前記第２レーザーは、波長が約４５０ｎｍのフェムト秒パルスレーザーであることが好ましい。
【００２９】
本発明の他の実施形態に係る液晶表示パネルのリペア装置は、液晶表示パネルの不良ピクセルのカラーフィルターにおけるカラーフィルターガラスに隣接する部分にギャップを形成するための第１レーザーを発生する第１レーザー発生器と、前記ギャップが形成されたカラーフィルターの物性を光透過性が低下するように変化させるための第２レーザーを発生する第２レーザー発生器とを備えている。
【００３０】
前記第１レーザー発生器は、ナノ秒パルスレーザーを発生するパルスレーザー発生器であることが好ましい。
【００３１】
或いは、前記第１レーザー発生器は、波長が約３５５ｎｍのパルスレーザーを発生するパルスレーザー発生器であることが好ましい。
【００３２】
或いは、前記第１レーザー発生器は、波長が約５３２ｎｍのパルスレーザーを発生するパルスレーザー発生器であることが好ましい。
【００３３】
前記第２レーザー発生器は、波長が約４００〜４９０ｎｍのレーザーを発生するレーザー発生器であることが好ましい。
【００３４】
或いは、前記第２レーザー発生器は、波長が約４５０ｎｍのフェムト秒パルスレーザーを発生するパルスレーザー発生器であることが好ましい。
【００３５】
或いは、前記第２レーザー発生器は、波長が約４０８ｎｍの連続レーザーを発生するフォトダイオードレーザー発生器であることが好ましい。
【００３６】
或いは、前記第２レーザー発生器は、波長が約４４６ｎｍの連続レーザーを発生するフォトダイオードレーザー発生器であることが好ましい。
【発明の効果】
【００３７】
本発明に係る液晶表示装置のリペア方法及び装置によれば、不良セルのカラーフィルターの物性を変化させることによって、液晶表示パネルの隣接セルへの影響を最小化することができる。その結果、隣接セルに影響を与えないで輝点セルを暗点化することができるので、液晶表示パネルの歩留りを効果的に高めることができる。
【発明を実施するための最良の形態】
【００３８】
以下、図面を参照しつつ、本発明に係る液晶表示装置のリペア方法及び装置の実施形態について詳細に説明する。
【００３９】
図４は、本発明の一実施形態に係る液晶表示パネルのリペア方法を説明するためのフローチャートである。
【００４０】
まず、液晶表示パネルをリペアするために、液晶表示パネルに存在する輝点セルを検出する（Ｓ１）。輝点セルの検出方法は当該技術分野では周知であるので、ここではその説明を省略する。液晶表示パネルで輝点セルが発見された場合、この輝点セルを暗点化する必要があるとき、すなわち輝点セルを暗点化させて液晶表示パネルをリペアするができるときは、液晶表示パネルをリペアする。
【００４１】
次に、第１レーザーを用いて輝点セルのカラーフィルターにギャップを形成する（Ｓ２）。カラーフィルターの物性を変化させる前にカラーフィルターにギャップを形成する理由は、カラーフィルターの物性変化を生じやすくするためである。言い換えれば、カラーフィルターに第１レーザーを照射すると、カラーフィルターにおけるカラーフィルターガラス付近でギャップが形成されるが、ギャップが形成されたカラーフィルターはレーザーによって物性（光透過性）が容易に変化する特性を有する。
【００４２】
そして、第２レーザーを用いて、ギャップが形成されたカラーフィルターの光透過性を低下させる（Ｓ３）。第２レーザーをギャップが形成されたカラーフィルターに照射すると、カラーフィルターの物性が変化する。このとき、カラーフィルターの光透過性は急激に低下する。
【００４３】
このように、液晶表示パネルをリペアするためには、カラーフィルターにギャップを形成させるための第１レーザーと、ギャップが形成されたカラーフィルターの物性を変化させるための第２レーザーとが必要である。第１レーザーと第２レーザーを発生する液晶表示パネルのリペア装置については、図５Ａを参照して説明する。
【００４４】
図５Ａは本発明の一実施形態に係る液晶表示パネルのリペア装置４０の構成を示すブロック図である。
【００４５】
液晶表示パネルのリペア装置４０は、第１レーザー発生器４１と、第２レーザー発生器４２と、レーザー伝達経路４３とを含む。
【００４６】
第１レーザー発生器４１は、液晶表示パネル４６の不良セル４７に含まれるカラーフィルターにおけるカラーフィルターガラスに隣接する部分にギャップを形成するための第１レーザー４４を生成する。
【００４７】
カラーフィルターにギャップを形成する過程において液晶表示パネルの他の部分に与える損傷を最小限にするためには、ギャップが形成される部分に第１レーザーのエネルギーを集中させる必要がある。
【００４８】
そのためには、第１レーザーの波長を短くする必要がある。様々な波長のレーザーを用いてカラーフィルターにギャップを形成する実験を行った結果、３５５ｎｍ波長のレーザーが優れた性能を示すことが確認された。また、５３２ｎｍ波長のレーザーも優れた性能を示すことが確認された。
【００４９】
また、実験の結果、第１レーザーにナノ秒レーザーを用いた場合に、カラーフィルターにギャップをよく形成できることが分かった。これは、カラーフィルター分子の格子振動がナノ秒単位でなされるため、ナノ秒レーザーを用いるとカラーフィルター分子に共振が発生するからである。
【００５０】
このような特性を有するレーザーを発生するために、第１レーザー発生器は基本波が１０６４ｎｍのナノ秒パルスレーザーを用いることができる。
【００５１】
３５５ｎｍ波長のパルスレーザーは、１０６４ｎｍ波長のナノ秒パルスレーザーの第３高調波から得られる。同様に、５３２ｎｍ波長のパルスレーザーは、１０６４ｎｍ波長のナノ秒パルスレーザーの第２高調波から得られる。
【００５２】
実験の結果、カラーフィルターのギャップのサイズが約０．４〜０．８μｍである場合に、液晶表示パネルの他の部分に与える影響が少なく、第２レーザーによりカラーフィルターの物性の変化が生じやすいことが確認された。
【００５３】
第２レーザー発生器４２は、ギャップが形成されたカラーフィルターの物性を、光透過性が低下するように変化させる第２レーザー４５を生成する。
【００５４】
第２レーザーは、すでにギャップが形成されたカラーフィルターの物性を変化させるために用いられるので、第１レーザーよりも長い波長のレーザーを用いることができる。実験の結果、第２レーザーの波長が約４００〜４９０ｎｍの範囲にある場合に、ギャップが形成されたカラーフィルターの物性の変化が容易に起こる、かつ、液晶表示パネルの他の部分に与える影響が少ないことが確認された。
【００５５】
第２レーザーとしては、フェムト秒パルスレーザー又は連続レーザーを用いることができる。実験の結果、４５０ｎｍのフェムト秒パルスレーザーの方が、カラーフィルターの物性の変化特性が優れていた。
【００５６】
その理由は、第２レーザーのエネルギーをカラーフィルターのギャップが形成された部分に集中させる必要があり、集中させたエネルギーは分子の格子振動を通じて他の部位に拡散することができるためである。通常、分子の格子振動に要する時間はナノ秒単位であるため、非常に短い時間の間にエネルギーが集中されるフェムト秒レーザーを用いた場合に、カラーフィルターの物性の変化特性が優れた。
【００５７】
連続レーザーを用いる場合は、４０８（(８）ｎｍの連続レーザーを発生するフォトダイオードレーザー発生器、又は４４６ｎｍの連続レーザーを発生するフォトダイオードレーザー発生器を用いた場合に、カラーフィルターの物性の変化特性が優れた。
【００５８】
図５Ｂは、液晶表示パネルのリペア装置を実現した例を示す斜視図である。レーザー及び光学部（図５Ａの４０に対応）はＹ軸方向に移動可能であり、液晶表示パネル（図５Ａの４６に対応）が搭載されるグラスステージはＸ軸方向に移動可能である。
【００５９】
レーザー及び光学部とグラスステージとは、互いに移動しながら、レーザーとリペアする不良セルとを対応させる。
【００６０】
レーザー及び光学部は、カラーフィルターにギャップを形成するためのレーザーを発生する第１レーザー発生器（図５Ａの４１に対応）、カラーフィルターの物性を変化させるためのレーザーを発生する第２レーザー発生器（図５Ａの４２に対応）、及びこれらのレーザー発生器からのレーザーを不良セルに正確に到達させるためのレーザー伝達経路（図５Ａの４３に対応）を含んでいる。
【００６１】
図５Ｃは、図５Ｂに示した液晶表示パネルのリペア装置のレーザー及び光学部を実現した例を示す図面である。レーザー及び光学部は、レーザー発生器及びレーザー伝達経路を含んでいる。
【００６２】
レーザー伝達経路は、レーザーの直進性を高めるためのコリメータ、レーザーの出力を調節するための減衰器、レンズ、プリズム、ビームスプリッタ、及びミラーなどを含んでいる。
【００６３】
本発明の目的を達成するためには、カラーフィルターの物性を変化させるためのレーザー発生器と、レーザー発生器で発生させたレーザーを不良セルのカラーフィルターに伝達するためのレーザー伝達経路とを含んでいればよい。
【００６４】
したがって、図５Ｃに示したレーザー及び光学部は一例であり、減衰器、レンズ、プリズム、ビームスプリッタ、ミラーなどの配置を変更することも可能である。また、必要によって、前記光学素子を除去又は追加することもできる。
【００６５】
図６Ａ及び図６Ｂは、本発明の一実施形態によって、カラーフィルターにギャップを形成した様子を示す断面図である。
【００６６】
図６Ａは、輝点セルのカラーフィルターに第１レーザーを照射して、４６０ｎｍのギャップを形成した様子を撮影した写真であり、図６Ｂは、７３６ｎｍのギャップを形成した様子を撮影した写真である。これらの写真に示されているように、ギャップは、垂直方向にではなく水平方向に形成される。
【００６７】
図７Ａ、図７Ｂ及び図７Ｃは、本発明の一実施形態によって、カラーフィルターの物性を、光透過性が低下するように変化させた様子を撮影した写真である。
【００６８】
特に、図７Ａ、図７Ｂ及び図７Ｃは、ギャップが形成されたカラーフィルターに４００ｎｍ波長のレーザーを照射した場合に、ギャップの周囲で物性が変化した様子を撮影した写真である。
【００６９】
図７Ａには、８２レベルの強度でレーザーを照射した場合の、ギャップの周囲における物性の変化が示されている。図７Ｂには、８４レベルの強度でレーザーを照射した場合の、ギャップの周囲における物性の変化が示されている。図７Ｃには、８６レベルの強度でレーザーを照射した場合の、ギャップの周囲における物性の変化が示されている。レーザー強度が増加すると、物性が変化した部分の厚さが増加することが分かる。このように、カラーフィルターにおける物性が変化した部分は光を遮断するため、物性変化部位が一定以上の厚さを有すると、輝点セルを暗点セルに変換させることができる。しかし、セルが膨大する恐れがあるため、物性変化部位の厚さを適切に維持することが重要である。
【００７０】
以上、本発明の様々な実施形態を説明したが、これらの実施形態は例示的なものであり、本発明を限定するものではない。従って、本発明の範囲は、特許請求の範囲及びその均等範囲によってのみ規定されるものである。
【産業上の利用可能性】
【００７１】
本発明によれば、不良セルのカラーフィルターの物性を変化させることによって、液晶表示パネルの隣接セルへの影響を最小化することができる。また、液晶表示装置のリペア方法及び装置によれば、隣接セルに影響を与えないで、輝点セルを暗点化することによって、液晶表示パネルの歩留りを効果的に高めることができる。従って、本発明の産業利用性はきわめて高いものといえる。
【図面の簡単な説明】
【００７２】
【図１】従来の液晶表示パネルのセル構造を示す断面図である。
【図２】図１に示したセル構造において、レーザーを用いてカラーフィルターの光透過性を低下させる場合に発生する問題点を説明するための断面図である。
【図３】カラーフィルターの光透過率を示すグラフである。
【図４】本発明の一実施形態に係る液晶表示パネルのリペア方法を説明するためのフローチャートである。
【図５Ａ】本発明の一実施形態に係る液晶表示パネルのリペア装置の構成を示すブロック図である。
【図５Ｂ】液晶表示パネルのリペア装置を実現した例を示す斜視図である。
【図５Ｃ】図５Ｂに示した液晶表示パネルのリペア装置のレーザー及び光学部を実現した例を示す図面である。
【図６Ａ】カラーフィルターに４６０ｎｍのギャップを形成した様子を示す断面図である。
【図６Ｂ】カラーフィルターに７３６ｎｍのギャップを形成した様子を示す断面図である。
【図７Ａ】カラーフィルターの物性を、光透過性が低下するように変化させた様子を撮影した写真である（８２レベルの強度でレーザーを照射した場合）。
【図７Ｂ】カラーフィルターの物性を、光透過性が低下するように変化させた様子を撮影した写真である（８４レベルの強度でレーザーを照射した場合）。
【図７Ｃ】カラーフィルターの物性を、光透過性が低下するように変化させた様子を撮影した写真である（８６レベルの強度でレーザーを照射した場合）。
【符号の説明】
【００７３】
４０    液晶表示パネルのリペア装置
４１    第１レーザー発生器
４２    第２レーザー発生器
４３    レーザー伝達経路
４４    第１レーザー
４５    第２レーザー
４６    液晶表示パネル
４７    不良セル（輝点セル）
【図１】
2008165164.tif 000003
【図２】
2008165164.tif 000004
【図３】
2008165164.tif 000005
【図４】
2008165164.tif 000006
【図５Ａ】
2008165164.tif 000007
【図５Ｂ】
2008165164.tif 000008
【図５Ｃ】
2008165164.tif 000009
【図６Ａ】
2008165164.tif 000010
【図６Ｂ】
2008165164.tif 000011
【図７Ａ】
2008165164.tif 000012
【図７Ｂ】
2008165164.tif 000013
【図７Ｃ】
2008165164.tif 000014